(57)【要約】【課題】放送通信連携サービスにおいて、安全且つ簡便に個人向けサービスの認証を行う。【解決手段】受信機６０は、受信した放送ストリーム、または通信により取得したストリームからアプリケーション情報テーブルを取得するほう総計分離部６２と、アプリケーション情報テーブルに関連付けられたアプリケーションを実行するための認証の要求を委譲することを示す認証要求委譲情報を端末に供給する認証要求委譲部と、認証要求委譲情報を取得して認証を実行した端末から、認証が成功したか否かを示す認証情報を取得する認証情報取得部７１３と、取得した認証情報を適用して、アプリケーションを実行するアプリケーション実行制御部７１と、を備える。【選択図】図４
2013242704.tif 000002
【特許請求の範囲】
【請求項１】
受信した放送ストリーム、または通信により取得したストリームからアプリケーション管理情報を取得するアプリケーション管理情報取得部と、
前記アプリケーション管理情報取得部が取得した前記アプリケーション管理情報に関連付けられたアプリケーションを実行するための認証の要求を委譲することを示す認証要求委譲情報を端末に供給する認証要求委譲部と、
前記認証要求委譲情報を取得して認証を実行した前記端末から、認証が成功したか否かを示す認証情報を取得する認証情報取得部と、
前記認証情報取得部が取得した前記認証情報を適用して、前記アプリケーションを実行するアプリケーション実行制御部と、
を備えることを特徴とする受信機。
【請求項２】
一つまたは複数の端末それぞれとの間で通信接続状態であるか否かを示す端末状態情報を記憶する端末情報管理部をさらに備え、
前記認証要求委譲部が、前記端末情報管理部に記憶された端末状態情報のうち、通信接続状態であることを示す端末状態情報に対応付けられた端末に対して、前記認証要求委譲情報を供給する
ことを特徴とする請求項１記載の受信機。
【請求項３】
受信機および端末を含む受信システムにおいて、
前記受信機は、
受信した放送ストリーム、または通信により取得したストリームからアプリケーション管理情報を取得するアプリケーション管理情報取得部と、
前記アプリケーション管理情報取得部が取得した前記アプリケーション管理情報に関連付けられたアプリケーションを実行するための認証の要求を委譲することを示す認証要求委譲情報を端末に供給する認証要求委譲部と、
前記認証要求委譲情報を取得して認証を実行した前記端末から、認証が成功したか否かを示す認証情報を取得する認証情報取得部と、
前記認証情報取得部が取得した前記認証情報を適用して、前記アプリケーションを実行するアプリケーション実行制御部と、
を備え、
前記端末は、
前記受信機が供給した前記認証要求委譲情報を取得する認証要求被委譲部と、
前記認証要求被委譲部が取得した前記認証要求委譲情報に基づき、認証装置との間で認証を実行して前記認証装置から前記認証情報を取得する認証部と、
前記認証部が取得した前記認証情報を前記受信機に供給する認証情報供給部と、
を備えることを特徴とする受信システム。
【請求項４】
前記受信機は、
一つまたは複数の端末それぞれとの間で通信接続状態であるか否かを示す端末状態情報を記憶する端末情報管理部をさらに備え、
前記認証要求委譲部が、前記端末情報管理部に記憶された端末状態情報のうち、通信接続状態であることを示す端末状態情報に対応付けられた端末に対して、前記認証要求委譲情報を供給する
ことを特徴とする請求項３記載の受信システム。
【請求項５】
前記受信機は、
受信した放送ストリーム、または通信により取得したストリームに対応付けられたアプリケーションの取得要求であるアプリケーション要求情報をアプリケーション提供装置に供給するアプリケーション要求部と、
前記アプリケーション要求情報に対応して、前記アプリケーション提供装置によって供給される第１のリンクキーを取得するリンクキー取得部と、
をさらに備え、
前記認証要求委譲部が、前記受信機との間で通信接続状態である前記端末に対し、前記リンクキー取得部が取得した前記第１のリンクキーを含めた認証要求委譲情報を供給し、
前記認証情報取得部が、前記認証要求委譲情報を取得した前記端末によって前記認証情報とともに供給される第２のリンクキーを取得し、
前記アプリケーション実行制御部が、前記認証情報取得部が取得した前記第２のリンクキーが前記第１のリンクキーと同一である場合に、前記認証情報を適用して、前記アプリケーション提供装置から前記アプリケーションを取得する
ことを特徴とする請求項３または４いずれか一項記載の受信システム。
【請求項６】
コンピュータを、
受信した放送ストリーム、または通信により取得したストリームからアプリケーション管理情報を取得するアプリケーション管理情報取得部と、
前記アプリケーション管理情報取得部が取得した前記アプリケーション管理情報に関連付けられたアプリケーションを実行するための認証の要求を委譲することを示す認証要求委譲情報を端末に供給する認証要求委譲部と、
前記認証要求委譲情報を取得して認証を実行した前記端末から、認証が成功したか否かを示す認証情報を取得する認証情報取得部と、
前記認証情報取得部が取得した前記認証情報を適用して、前記アプリケーションを実行するアプリケーション実行制御部と、
として機能させるための受信プログラム。
【発明の詳細な説明】
【技術分野】
【０００１】
本発明は、受信機、受信システム、および受信プログラムに関する。
【背景技術】
【０００２】
近年、放送通信連携サービスを実現するための研究が行われている。この放送通信連携サービスでは、一例として、受信機が、放送番組に対応付けられたアプリケーションをアプリケーションサーバから取得して実行することにより、コンテンツサーバから配信コンテンツデータを取得する。そして、受信機は、アプリケーションの実行環境下において、放送受信により取得した番組コンテンツデータと、ネットワーク通信により取得した配信コンテンツデータとを対応付けて提示する。
【０００３】
また、上記の放送通信連携サービスにおいて端末連携サービスを実現するための研究も行われている。放送通信連携サービスにおいて端末連携サービスを実現するためには、サービス提供者に対して、受信機と連携している端末を認識させる必要がある。従来、受信機と視聴者個人が有する携帯端末とを連携動作させ、受信機の識別情報が記録された二次元コードを受信機によってテレビに表示させ、この表示された二次元コードを携帯端末に読み取らせることにより、受信機と視聴者個人が有する携帯端末との対応付けを行っていた（例えば、非特許文献１参照）。
【先行技術文献】
【非特許文献】
【０００４】
【非特許文献１】金次保明、三矢茂明、松村欣司、馬場秋継、藤沢寛、武智秀、山本真、浜田浩行、ＮＨＫ放送技術研究所、「［招待講演］放送通信連携システムＨｙｂｒｉｄｃａｓｔの提案  −放送通信融合時代の新しい放送システムをめざして−」、社団法人映像情報メディア学会技術報告、Ｖｏｌ．３５、Ｎｏ．７、２０１１年２月、ｐ３１−３４
【発明の概要】
【発明が解決しようとする課題】
【０００５】
安全性が高い個人向けサービスを実現するためには、ユーザ認証やアクセス認可等のアクセス制御の仕組みが必要である。つまり、受信機で動作する個人向けアプリケーションは、個人向けサービスを受ける者のユーザ識別情報やパスワードを用いて個人認証や個人リソースへのアクセス認可を受ける必要がある。しかし、ユーザ識別情報およびパスワードの受信機への入力がアプリケーションの起動ごとに要求されるとなると、煩雑な操作を視聴者に強いることとなる。また、テレビジョン受像機に受信機を組み込んだ例では、テレビジョン受像機が例えば不特定の複数人で共用されるものである場合、各個人のユーザ識別情報およびパスワードを、利便性の観点からテレビジョン受像機に管理させることは、セキュリティ上の安全性を高く保つことができない。
【０００６】
そこで、本発明は上記の事情に鑑みてなされたものであり、放送通信連携サービスにおいて、安全且つ簡便に個人向けサービスの認証を行うことができる、受信機、受信システム、および受信プログラムを提供することを目的とする。
【課題を解決するための手段】
【０００７】
［１］上記の課題を解決するため、本発明の一態様である受信機は、受信した放送ストリーム、または通信により取得したストリームからアプリケーション管理情報を取得するアプリケーション管理情報取得部と、前記アプリケーション管理情報取得部が取得した前記アプリケーション管理情報に関連付けられたアプリケーションを実行するための認証の要求を委譲することを示す認証要求委譲情報を端末に供給する認証要求委譲部と、前記認証要求委譲情報を取得して認証を実行した前記端末から、認証が成功したか否かを示す認証情報を取得する認証情報取得部と、前記認証情報取得部が取得した前記認証情報を適用して、前記アプリケーションを実行するアプリケーション実行制御部と、を備えることを特徴とする。
［２］上記［１］記載の受信機において、一つまたは複数の端末それぞれとの間で通信接続状態であるか否かを示す端末状態情報を記憶する端末情報管理部をさらに備え、前記認証要求委譲部が、前記端末情報管理部に記憶された端末状態情報のうち、通信接続状態であることを示す端末状態情報に対応付けられた端末に対して、前記認証要求委譲情報を供給することを特徴とする。
［３］上記の課題を解決するため、本発明の一態様である受信システムは、受信機および端末を含む受信システムにおいて、前記受信機は、受信した放送ストリーム、または通信により取得したストリームからアプリケーション管理情報を取得するアプリケーション管理情報取得部と、前記アプリケーション管理情報取得部が取得した前記アプリケーション管理情報に関連付けられたアプリケーションを実行するための認証の要求を委譲することを示す認証要求委譲情報を端末に供給する認証要求委譲部と、前記認証要求委譲情報を取得して認証を実行した前記端末から、認証が成功したか否かを示す認証情報を取得する認証情報取得部と、前記認証情報取得部が取得した前記認証情報を適用して、前記アプリケーションを実行するアプリケーション実行制御部と、を備え、前記端末は、前記受信機が供給した前記認証要求委譲情報を取得する認証要求被委譲部と、前記認証要求被委譲部が取得した前記認証要求委譲情報に基づき、認証装置との間で認証を実行して前記認証装置から前記認証情報を取得する認証部と、前記認証部が取得した前記認証情報を前記受信機に供給する認証情報供給部と、を備えることを特徴とする。
［４］上記［３］記載の受信システムにおいて、前記受信機は、一つまたは複数の端末それぞれとの間で通信接続状態であるか否かを示す端末状態情報を記憶する端末情報管理部をさらに備え、前記認証要求委譲部が、前記端末情報管理部に記憶された端末状態情報のうち、通信接続状態であることを示す端末状態情報に対応付けられた端末に対して、前記認証要求委譲情報を供給することを特徴とする。
［５］上記［３］または［４］いずれか一項記載の受信システムにおいて、前記受信機は、受信した放送ストリーム、または通信により取得したストリームに対応付けられたアプリケーションの取得要求であるアプリケーション要求情報をアプリケーション提供装置に供給するアプリケーション要求部と、前記アプリケーション要求情報に対応して、前記アプリケーション提供装置によって供給される第１のリンクキーを取得するリンクキー取得部と、をさらに備え、前記認証要求委譲部が、前記受信機との間で通信接続状態である前記端末に対し、前記リンクキー取得部が取得した前記第１のリンクキーを含めた認証要求委譲情報を供給し、前記認証情報取得部が、前記認証要求委譲情報を取得した前記端末によって前記認証情報とともに供給される第２のリンクキーを取得し、前記アプリケーション実行制御部が、前記認証情報取得部が取得した前記第２のリンクキーが前記第１のリンクキーと同一である場合に、前記認証情報を適用して、前記アプリケーション提供装置から前記アプリケーションを取得することを特徴とする。
［６］上記の課題を解決するため、本発明の一態様である受信プログラムは、コンピュータを、受信した放送ストリーム、または通信により取得したストリームからアプリケーション管理情報を取得するアプリケーション管理情報取得部と、前記アプリケーション管理情報取得部が取得した前記アプリケーション管理情報に関連付けられたアプリケーションを実行するための認証の要求を委譲することを示す認証要求委譲情報を端末に供給する認証要求委譲部と、前記認証要求委譲情報を取得して認証を実行した前記端末から、認証が成功したか否かを示す認証情報を取得する認証情報取得部と、前記認証情報取得部が取得した前記認証情報を適用して、前記アプリケーションを実行するアプリケーション実行制御部と、として機能させる。
【発明の効果】
【０００８】
本発明によれば、放送通信連携サービスにおいて、安全且つ簡便に個人向けサービスの認証を行うことができる。
【図面の簡単な説明】
【０００９】
【図１】本発明の一実施形態である受信機および受信システムを適用した放送通信連携システムの概略の全体構成図である。
【図２】同実施形態において、受信機が管理する端末管理情報のデータ構成を示す図である。
【図３】同実施形態において、放送設備の概略の装置構成を示す図である。
【図４】同実施形態において、受信機の概略の機能構成を示すブロック図である。
【図５】同実施形態において、受信機の端末連携制御部の機能構成を示すブロック図である。
【図６】同実施形態において、端末の、認証に関する処理を行う処理部の概略の機能構成を示すブロック図である。
【図７】同実施形態において、認証サーバの概略の機能構成を示すブロック図である。
【図８】同実施形態において、アプリケーションサーバの概略の機能構成を示すブロック図である。
【図９】同実施形態において、放送通信連携システムにおける各装置の、認証に関する処理手順を示すシーケンス図である。
【図１０】本発明の一実施例である受信機および受信システムを適用した放送通信連携システムの概略の全体構成図である。
【図１１】同実施例において、受信機が管理する端末管理情報のデータ構成を示す図である。
【図１２】同実施例において、認証認可サーバの機能構成を示すブロック図である。
【図１３】同実施例において、アプリケーションサーバの概略の機能構成を示すブロック図である。
【図１４】同実施例において、リソース管理サーバの概略の機能構成を示すブロック図である。
【図１５】同実施例において、放送通信連携システムにおける各装置の、認証および認可に関する処理手順を示すシーケンス図である。
【発明を実施するための形態】
【００１０】
以下、本発明を実施するための形態について、図面を参照して詳細に説明する。
図１は、本発明の一実施形態である受信機および受信システムを適用した放送通信連携システムの概略の全体構成図である。同図に示すように、放送通信連携システム１は、放送設備１０と、送信アンテナ２０と、ネットワーク３０と、サービスサーバ群４０と、ネットワーク５０と、受信機６０と、端末９０とを含んで構成される。また、サービスサーバ群４０は、認証サーバ（認証装置）４１と、アプリケーションサーバ（アプリケーション提供装置）４２と、コンテンツサーバ（コンテンツ提供装置）４３とを含む。
同図において、Ｕは、受信機６０の視聴者であり、且つ端末９０の利用者（ユーザ）である。
【００１１】
ただし、実際には、受信機６０および端末９０は多数存在するが、本実施形態では、図１を簡略化して説明を簡潔にするため、受信機６０および端末９０それぞれ一台を含む例とする。
【００１２】
放送設備１０および送信アンテナ２０は、放送事業者である放送局が管理する設備群である。サービスサーバ群４０は、放送局またはサービス事業者またはいずれかが管理する装置群である。受信機６０および端末９０は、視聴者（利用者）が有する装置である。
【００１３】
放送通信連携システム１は、放送局が例えば統合デジタル放送サービス（Ｉｎｔｅｇｒａｔｅｄ  Ｓｅｒｖｉｃｅｓ  Ｄｉｇｉｔａｌ  Ｂｒｏａｄｃａｓｔｉｎｇ；ＩＳＤＢ）方式によって提供する放送サービスと、放送局およびサービス事業者またはいずれかが提供する配信サービス（通信サービス）とを連携させた放送通信連携サービスを実現する。
【００１４】
放送通信連携サービスを受ける受信機６０は、番組コンテンツデータに対応付けられたアプリケーションプログラム（以下、アプリケーションという）を実行する。番組コンテンツデータは、放送番組の映像データおよび音声データまたはいずれかを含むコンテンツデータである。アプリケーションは、受信機６０において放送通信連携サービスを実現させるための実行プログラムである。
【００１５】
放送設備１０がアプリケーションサーバ４２に供給するアプリケーション、すなわち放送局が提供するアプリケーションを放送事業者提供アプリケーションという。また、サービス事業者または個人が制作してアプリケーションサーバ４２に供給するアプリケーションをサービス事業者提供アプリケーションという。さらに、サービス事業者提供アプリケーションのうち、放送局によって承認されたアプリケーションを承認アプリケーション、放送局によって承認されていないアプリケーションを一般アプリケーションという。
【００１６】
次に、放送通信連携システム１の各構成について説明する。
ネットワーク３０は、放送設備１０とサービスサーバ群４０に含まれる各サーバとを接続する通信回線である。ここで、各サーバとは、認証サーバ４１、アプリケーションサーバ４２、およびコンテンツサーバ４３である。ネットワーク３０は、事業者間ネットワークとも呼ばれる。ネットワーク３０は、例えば、インターネットプロトコル（Ｉｎｔｅｒｎｅｔ  Ｐｒｏｔｏｃｏｌ；ＩＰ）により通信可能なコンピュータネットワークである。放送設備１０とサービスサーバ群４０の各サーバとは、ネットワーク３０を介して通信を行う。
【００１７】
ネットワーク５０は、サービスサーバ群４０の各サーバと受信機６０とを接続する通信回線である。ネットワーク５０は、例えば、ＩＰにより通信可能なコンピュータネットワークであり、インターネットにも接続されている。受信機６０とサービスサーバ群４０の各サーバとは、ネットワーク５０を通して通信を行う。
なお、サービスサーバ群４０の各サーバと端末９０とが、ネットワーク５０を介して通信を行ってもよい。
【００１８】
放送設備１０は、放送局、番組制作会社等により制作された放送のためのコンテンツに各種制御情報を多重化したストリーム（放送ストリーム）を生成する。放送のためのコンテンツとして、放送局によって決定される放送スケジュールにしたがって放送される番組コンテンツと、放送スケジュールとは関係なく放送される緊急コンテンツとがある。緊急コンテンツは、例えば、緊急警報放送に用いられるコンテンツである。各種制御情報は、例えば、イベント情報テーブル（Ｅｖｅｎｔ  Ｉｎｆｏｒｍａｔｉｏｎ  Ｔａｂｌｅ；ＥＩＴ）、アプリケーション情報テーブル（Ａｐｐｒｉｃａｔｉｏｎ  Ｉｎｆｏｒｍａｔｉｏｎ  Ｔａｂｌｅ；ＡＩＴ）、アプリケーション提示制御情報等である。イベント情報テーブルは、番組コンテンツの名称（タイトル）、放送日時、ジャンル、内容説明（あらすじ）等の、番組コンテンツに関係するメタ情報を含む。アプリケーション情報テーブル（アプリケーション管理情報ともいう。）は、受信機６０が実行する一つまたは複数のアプリケーションに関する管理情報である。アプリケーション情報テーブルは、アプリケーションごとに、アプリケーションを識別するアプリケーション識別情報、アプリケーションのライフサイクルを制御するアプリケーション制御情報（アプリケーション起動情報）、ネットワーク５０上のアプリケーションの所在を示すロケーション情報を含む。アプリケーション制御情報は、アプリケーションの起動方法を示す情報を含む。アプリケーション提示制御情報は、放送中の番組、放送信号に含まれるイベント、アプリケーションの提供者等に応じて、番組コンテンツデータ、アプリケーション、および配信コンテンツデータの出力方法をどのように制御するかを示すデータである。ストリームは、例えばＭＰＥＧ−２システム規格によるトランスポートストリーム（Ｔｒａｎｓｐｏｒｔ  Ｓｔｒｅａｍ；ＴＳ）である。
【００１９】
放送設備１０は、生成したストリームをデジタル放送の放送信号に変換し、この放送信号を送信アンテナ２０に送信する。
【００２０】
ここで、デジタル放送の放送信号の伝送プロトコルスタックについて説明する。上述したように、放送設備１０は、映像データ、音声データ、各種制御情報等を、トランスポートストリームパケット（ＴＳパケット）に格納し、これらＴＳパケットを時分割により多重伝送する。ＴＳパケットは、セクションとしてＰｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ（ＰＳＩ／ＳＩ）を含む。ＰＳＩ／ＳＩは、ＴＳパケットに格納されるデータの種別を示す情報、コンテンツの種別を示す情報等を含む。
【００２１】
ＴＳパケットの伝送方式として、セクションを用いてデータを伝送する方式と、Ｐａｃｋｅｔｉｚｅｄ  Ｅｌｅｍｅｎｔａｒｙ  Ｓｔｒｅａｍ（ＰＥＳ）パケットを用いてデータを伝送する方式（データストリーム伝送方式）とがある。セクションを用いてデータを伝送する方式として、データカルーセル伝送方式と、イベントメッセージ伝送方式とがある。データカルーセル伝送方式は、放送設備１０が、一つまたは複数のデータ（モジュール）を一定周期で繰り返し伝送する方式である。イベントメッセージ伝送方式は、放送設備１０が、受信機６０に対してトリガ信号を送信する方式である。イベントメッセージ伝送方式は、データ量が少ないメッセージを伝送する場合に用いられる方式である。データストリーム伝送方式は、映像データ、音声データ、字幕データ等のリアルタイム性を有するデータ、他のストリームとの同期を制御する制御情報等を伝送する場合に用いられる方式である。
【００２２】
なお、ストリームおよび放送信号の仕様は、例えば、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｒｏａｄｃａｓｔ）標準規格によって規定されている。
【００２３】
また、放送設備１０は、放送局が制作したアプリケーション（放送事業者提供アプリケーション）をアプリケーションサーバ４２に供給する。
また、放送設備１０は、放送局が制作した配信コンテンツデータをコンテンツサーバ４３に供給する。配信コンテンツデータは、例えば、既に放送された番組コンテンツデータである。
【００２４】
送信アンテナ２０は、放送設備１０が送信した放送信号を受信し、この放送信号を放送電波に変換して空中に放射する。
【００２５】
認証サーバ４１は、端末９０の使用者を認証する認証装置である。例えば、認証サーバ４１は、端末９０が供給するユーザ識別情報（ユーザＩＤ）およびパスワードを取り込んでユーザ認証（以下、認証ともいう）を実行し、認証結果である認証情報を、認証要求元である端末９０に供給する。
【００２６】
アプリケーションサーバ４２は、放送設備１０が供給するアプリケーション（放送事業者提供アプリケーション）を取り込み、このアプリケーションを記憶する。また、アプリケーションサーバ４２は、サービス事業者または個人により制作されたアプリケーション（サービス事業者提供アプリケーション）を記憶する。
アプリケーションサーバ４２は、受信機６０または端末９０が供給するアプリケーション取得要求に応じてアプリケーションを選択し、このアプリケーションを取得要求元である受信機６０または端末９０に供給する。
【００２７】
コンテンツサーバ４３は、放送設備１０が供給する配信コンテンツデータを取り込み、この配信コンテンツデータを記憶する。また、コンテンツサーバ４３は、サービス事業者または個人により制作された配信コンテンツデータを記憶する。
コンテンツサーバ４３は、受信機６０または端末９０が供給するコンテンツ取得要求に応じて配信コンテンツデータを選択し、この配信コンテンツデータを取得要求元である受信機６０または端末９０に供給する。
【００２８】
認証サーバ４１、アプリケーションサーバ４２、およびコンテンツサーバ４３の各サーバは、例えば、サーバ装置やコンピュータ装置により実現される。
【００２９】
本実施形態において、受信機６０は、端末９０と通信接続された状態で使用される。受信機６０は、例えば、放送サービスによって送信アンテナ２０から送信される放送電波を受信して番組コンテンツデータを取得する。受信機６０は、取得した番組コンテンツデータに対応付けられたアプリケーションをアプリケーションサーバ４２から取得し、このアプリケーションを実行する。そして、受信機６０は、端末９０に認証要求を委譲し、端末９０および認証サーバ４１間で認証を行わせ、端末９０から認証結果の承継を受ける。そして、受信機６０は、例えば、アプリケーションの実行によって指定される配信コンテンツデータを、認証情報を適用してサービスサーバ群４０から取得し、番組コンテンツデータと配信コンテンツデータとを連動させたり対応付けしたりして再生する。
【００３０】
また、受信装置６０は、番組コンテンツデータおよび配信コンテンツデータの出力方法を、制御情報の一つであるアプリケーション提示制御情報に基づいて制御する。
受信機６０は、例えば、テレビジョン受像機、セットトップボックス、コンピュータ装置、携帯端末等により実現される。
【００３１】
端末９０は、無線または有線により受信機６０と接続され、受信機６０と連動して動作する。具体的に、端末９０と受信機６０とは、ネットワーク５０を通して、またはネットワーク５０とは別の通信路（例えば、ホームＬＡＮ、無線ＬＡＮ、ユニバーサルシリアルバス（Ｕｎｉｖｅｒｓａｌ  Ｓｅｒｉａｌ  Ｂｕｓ；ＵＳＢ）、Ｂｌｕｅｔｏｏｔｈ（登録商標））を通して通信を行う。そして、端末９０は、通信接続状態である受信機６０から認証要求の委譲を受け、認証サーバ４１との間で認証を実行する。そして、端末９０は、認証結果を受信機６０に承継する。
【００３２】
放送通信連携サービスにおいて、受信機６０は、番組コンテンツデータの表示領域（番組領域）と、アプリケーションおよび配信コンテンツデータの表示領域（アプリケーション領域）とを制御する。また、受信機６０は、番組コンテンツデータの音声出力と、アプリケーションおよび配信コンテンツデータの音声出力とを制御する。つまり、受信機６０は、放送番組ごと、または放送番組とは非同期に、番組コンテンツデータおよび配信コンテンツデータならびにアプリケーションの表示方法および音声出力方法（以下、これら両方法を出力方法と呼ぶこともある。）を制御する。
【００３３】
表示方法として、例えば、番組領域のみを表示する、番組領域とアプリケーション領域とを全部または部分的に重ね合わせて表示する、番組領域とアプリケーション領域とを重ね合わせることなく独立に表示する等の方法がある。
音声出力方法として、番組コンテンツデータの音声のみを出力する、番組コンテンツデータの音声とアプリケーションおよび配信コンテンツデータの音声とを独立に、または混合して出力する等の方法がある。
【００３４】
放送事業者が受信機６０に対して要求する表示方法および音声出力方法をポリシーと定義する。ポリシーには、番組コンテンツデータの内容の重要性や演出等に応じて複数の段階があり、これらの段階をポリシーレベルと呼ぶ。つまり、ポリシーレベルは、番組コンテンツデータの表示および音声出力に対して、アプリケーションの表示および音声出力を制限するレベルを示し、例えば整数値で表される。例えば、ポリシーレベルが高いとは、アプリケーションの表示および音声出力の規制のレベルが高い（規制が厳しい）ことを示す。例えば、緊急性や重要性が高い放送の番組コンテンツデータを優先的に表示させたい場合、放送局は、当該番組コンテンツデータに高いポリシーレベルを設定する。前述したアプリケーション提示制御情報は、例えば、ポリシーレベルを示す情報である。
【００３５】
次に、ポリシーレベルと表示方法との関係について、ポリシーレベルが“４”から“１”までの４段階により表される場合を例として説明する。
まず、ポリシーレベルが“４”である場合、受信機６０では、番組コンテンツデータの全画面表示のみが可能である。
また、ポリシーレベルが“３”である場合、受信機６０では、放送事業者提供アプリケーションおよび承認アプリケーションの表示が可能である。ただし、全てのアプリケーションについて、番組コンテンツデータへの重ね合わせ表示が禁止され、番組コンテンツの外側への表示のみが可能である。
また、ポリシーレベルが“２”である場合、受信機６０では、放送事業者提供アプリケーションおよび承認アプリケーションの表示が可能である。ただし、放送事業者提供アプリケーションのみ、番組コンテンツへの重ね合わせ表示が可能である。放送事業者提供アプリケーションを除くアプリケーションについては、番組コンテンツへの重ね合わせ表示が禁止され、番組コンテンツの外側への表示のみが可能である。
また、ポリシーレベルが“１”である場合、受信機６０では、放送事業者提供アプリケーションおよび承認アプリケーションの表示が可能である。放送事業者提供アプリケーションおよび承認アプリケーションの番組コンテンツへの重ね合わせ表示が可能である。
【００３６】
ポリシーレベル毎の音声出力方法は、例えば、以下のとおりである。
すなわち、ポリシーレベルが“４”または“３”である場合、受信機６０では、番組コンテンツデータのみ音声出力が可能である。
また、ポリシーレベルが“２”である場合、受信機６０では、放送事業者提供アプリケーションのみの音声出力が可能である。ただし、受信機６０は、番組コンテンツデータおよび配信コンテンツデータの音声を、切替えによって独立に出力する。
また、ポリシーレベルが“１”である場合、受信機６０では、放送事業者提供アプリケーションの音声出力と、承認アプリケーションの音声出力とが可能である。ただし、受信機６０は、放送事業者提供アプリケーションおよび承認アプリケーションとも、番組コンテンツデータおよび各アプリケーションの音声を、切替えによって独立に出力する。
【００３７】
図２は、受信機６０が管理する端末管理情報のデータ構成を示す図である。端末管理情報は、受信機６０と連携して動作する端末９０に関する情報を格納したデータテーブルである。受信機６０と端末９０とが連携して動作（連携動作）するとは、受信機６０と端末９０とが通信接続された状態において、受信機６０および端末９０または受信機６０が、連携して動作させるためのアプリケーションを実行することである。
端末管理情報は、一つまたは複数の端末９０それぞれについて、番号と、端末識別情報と、端末状態情報と、リンクキーと、認証情報とを対応付けたレコードを含む。このレコードを端末情報と呼ぶ。
【００３８】
番号は、端末情報を識別する情報である。なお、端末管理情報は番号を含まなくてもよい。
端末識別情報は、端末９０を特定するための識別情報であり、例えば、マックアドレス（Ｍｅｄｉａ  Ａｃｃｅｓｓ  Ｃｏｎｔｒｏｌ  Ａｄｄｒｅｓｓ；ＭＡＣアドレス）、ＩＰアドレス、または端末９０のシリアル番号である。
【００３９】
端末状態情報は、端末９０が受信機６０との間で通信接続状態であるか否かを示すステータス情報である。受信機６０と端末９０とが通信接続状態である場合、端末状態情報は、接続状態を示す情報（例えば、“接続状態”、“Ｃｏｎｎｅｃｔｉｎｇ”、“ＯＮ”、“１”等）となる。一方、受信機６０と端末９０とが通信切断状態（非接続状態）である場合、端末状態情報は、切断状態を示す情報（例えば、“切断状態”、“非接続状態”、“Ｄｉｓｃｏｎｎｅｃｔｉｎｇ”、“ＯＦＦ”、“０（ゼロ）”等）となる。
【００４０】
リンクキーは、受信機６０がアプリケーションサーバ４２に対してアプリケーションの取得要求（サービス要求）を行うことにより、アプリケーションサーバ４２から取得する情報である。リンクキーは、サービス要求ごとに異なる内容の情報であり、アプリケーションとの関連付けを保障する情報である。
認証情報は、受信機６０が端末９０から取得する認証結果を示す情報である。認証情報は、例えば、ユーザ識別情報、認証手段、および認証が成功したか否かを示す認証結果を含む情報である。なお、認証情報は、この認証情報が格納されているロケーション（リンク先）を特定可能な情報でもよい。
【００４１】
次に、放送設備１０の構成について説明する。
図３は、放送設備１０の概略の装置構成を示す図である。同図に示すように、放送設備１０は、番組編成装置１１１と、番組送出装置１１２と、送信装置１１３とを含んで構成される。
【００４２】
番組編成装置１１１は、放送局、番組制作会社等により制作された番組コンテンツに、この番組コンテンツに関係する各種制御情報を多重化したストリームを生成し、このストリームを番組送出装置１１２に供給する。
また、番組編成装置１１１は、放送局により制作された放送事業者提供アプリケーションをアプリケーションサーバ４２に供給する。また、番組編成装置１１１は、放送局により制作された配信コンテンツデータをコンテンツサーバ４３に供給する。
【００４３】
番組送出装置１１２は、番組編成装置１１１が供給するストリームを取り込む。そして、番組送出装置１１２は、ストリームが番組コンテンツのストリームである場合は、放送スケジュールにしたがってそのストリームを送信装置１１３に供給する。また、番組送出装置１１２は、ストリームが緊急コンテンツのストリームである場合は、例えば、イベントメッセージ伝送方式によってそのストリームを送信装置１１３に供給する。
【００４４】
送信装置１１３は、番組送出装置１１２が供給するストリームを取り込み、このストリームを放送信号に変換して送信アンテナ２０に供給する。
【００４５】
次に、受信機６０の構成について説明する。
図４は、受信機６０の概略の機能構成を示すブロック図である。同図に示すように、受信機６０は、放送信号受信部６１と、放送系分離部６２と、放送系管理情報取得部６３と、通信部６５と、通信系分離部６６と、通信系管理情報取得部６７と、管理情報記憶部６８と、記憶部６９と、操作信号受信部７０と、アプリケーション実行制御部７１と、音声制御部７２と、音声出力部７３と、表示制御部７４と、表示部７５と、端末連携制御部８０とを備える。
【００４６】
放送信号受信部６１は、例えば、受信機６０に接続された受信アンテナ（不図示）により放送電波を受信して得られた放送信号を取り込む。そして、放送信号受信部６１は、放送信号を復調してストリームを取得し、このストリームを放送系分離部６２に供給する。このストリームは、例えばトランスポートストリーム（ＴＳ）である。
【００４７】
放送系分離部６２は、放送信号受信部６１が供給するストリームを取り込み、このストリームから番組コンテンツデータ等の各種情報を抽出する。具体的に、放送系分離部６２は、ＴＳに含まれるＰＳＩ／ＳＩを参照してＴＳパケットのデータ種別を判別し、映像データ、音声データ、イベント情報テーブル、番組識別情報、アプリケーション提示制御情報等の各種情報を抽出する。ここで抽出される映像データおよび音声データは、番組コンテンツデータに含まれるデータである。また、放送系分離部６２は、あらかじめ規定されているアプリケーション情報テーブルの伝送方法に応じて、セクションやＰＥＳを参照してアプリケーション情報テーブルを抽出する。
【００４８】
放送系分離部６２は、それぞれ抽出した、イベント情報テーブル、番組識別情報、アプリケーション提示制御情報、アプリケーション情報テーブル等の管理情報（放送系管理情報）を放送系管理情報取得部６３に供給する。また、放送系分離部６２は、抽出した音声データを音声制御部７２に供給する。また、放送系分離部６２は、抽出した映像データを表示制御部７４に供給する。
すなわち、放送系分離部６２は、番組コンテンツデータ取得部と、アプリケーション情報テーブル取得部（アプリケーション管理情報取得部）とを含む。
【００４９】
放送系管理情報取得部６３は、放送系分離部６２が供給する、イベント情報テーブル、番組識別情報、アプリケーション提示制御情報、アプリケーション情報テーブル等の放送系管理情報を取り込み、これら放送系管理情報を管理情報記憶部６８に記憶させる。
【００５０】
通信部６５は、ネットワーク５０を介してサービスサーバ群４０の各サーバおよび端末９０と通信するネットワークインタフェースを備える。通信部６５は、アプリケーション実行制御部７１および端末連携部８０が供給する、送信先アドレスが設定されたデータを取り込み、このデータを、自装置のアドレスを送信元アドレスとしてネットワーク５０に送信する。また、通信部６５は、送信先アドレスが自装置のアドレスに一致するデータを受信し、このデータを通信系分離部６６、記憶部６９、アプリケーション実行制御部７１、または端末連携制御部８０に供給する。
また、通信部６５は、ネットワーク５０を介さずに、電波、赤外線、ホームネットワーク等により端末９０と通信する通信インタフェースを備える。
【００５１】
通信系分離部６６は、サービスサーバ群４０の各サーバが供給するデータを、通信部６５を介し取り込んでデータの種類を判別し、この判別結果であるデータ種別に応じてデータから各種情報を分離する。具体的に、通信系分離部６６は、例えば、取り込んだデータがＴＳパケットであると判別した場合、映像データ、音声データ、静止画像データ、番組識別情報等の各種データを抽出する。ここで抽出される映像データ、音声データ、および静止画像データは、配信コンテンツデータに含まれるデータである。また、通信系分離部６６は、取り込んだデータから、アプリケーションを抽出する。
【００５２】
通信系分離部６６は、抽出した番組識別情報等の管理情報（通信系管理情報）を通信系管理情報取得部６７に供給する。また、通信系分離部６６は、抽出した映像データ、音声データ、および静止画像データを記憶部６９に記憶させるか、アプリケーション実行制御部７１に供給する。また、通信系分離部６６は、抽出したアプリケーションを記憶部６９に記憶させるか、アプリケーション実行制御部７１に供給する。
すなわち、通信系分離部６６は、配信コンテンツデータ取得部と、アプリケーション取得部とを含む。
【００５３】
通信系管理情報取得部６７は、通信系分離部６６が供給する、番組識別情報等の通信系管理情報を取り込み、これら通信系管理情報を管理情報記憶部６８に記憶させる。
管理情報記憶部６８は、放送系管理情報取得部６３が供給するイベント情報テーブル、番組識別情報、アプリケーション提示制御情報、アプリケーション情報テーブル等の放送系管理情報を記憶する。また、管理情報記憶部６８は、通信系管理情報取得部６７が供給する番組識別情報等の通信系管理情報を記憶する。
【００５４】
記憶部６９は、通信系分離部６６が供給する配信コンテンツデータの映像データ、音声データ、および静止画像データ、ならびにアプリケーションを記憶する。また、記憶部６９は、通信部６５が供給する各データを記憶する。
【００５５】
管理情報記憶部６８および記憶部６９は、例えば、磁気ハードディスク装置、半導体記憶装置等の記憶装置により実現される。
【００５６】
操作信号受信部７０は、図示しない操作機器が送信する操作信号を受信し、この操作信号からコードを抽出し、このコードをアプリケーション実行制御部７１に供給する。操作機器は、例えば、受信機６０を遠隔操作するリモートコントロール（リモコン）装置、受信機６０の本体に備えられた操作パネル、表示部７５に対応付けられたグラフィカルユーザインタフェース（Ｇｒａｐｈｉｃａｌ  Ｕｓｅｒ  Ｉｎｔｅｒｆａｃｅ；ＧＵＩ）である。
【００５７】
音声制御部７２は、放送系分離部６２が供給する番組コンテンツデータの音声データ、およびアプリケーション実行制御部７１が供給するアプリケーションおよび配信コンテンツデータの各音声データを取り込む。そして、音声制御部７２は、アプリケーション実行制御部７１が指定する音声出力方法にしたがって、番組コンテンツデータ、アプリケーション、および配信コンテンツデータそれぞれの音声データまたはいずれかを音声出力部７３に供給する。
音声出力部７３は、音声制御部７２が供給する音声データを取り込んで音声出力する。音声出力部７３は、例えば、増幅器、スピーカ等の音響装置により実現される。
【００５８】
表示制御部７４は、放送系分離部６２が供給する番組コンテンツデータの映像データ、およびアプリケーション実行制御部７１が供給するアプリケーションおよび配信コンテンツデータの各映像データならびに静止画像データを取り込む。そして、表示制御部７４は、アプリケーション実行制御部７１が指定する表示方法にしたがって、番組コンテンツデータ、アプリケーション、および配信コンテンツデータそれぞれの映像データおよび静止画像データまたはいずれかを表示部７５に供給する。
表示部７５は、表示制御部７４が供給する映像データおよび静止画像データまたはいずれかを取り込んで表示する。表示部７５は、例えば、液晶表示装置により実現される。
【００５９】
音声制御部７２、音声出力部７３、表示制御部７４、および表示部７５は、提示部である。
【００６０】
アプリケーション実行制御部７１は、通信系分離部６６が供給するアプリケーションを取り込み、このアプリケーションの実行を制御する。または、アプリケーション実行制御部７１は、記憶部６９から読み込むアプリケーションの実行を制御する。ただし、認証を要するアプリケーションである場合、アプリケーション実行制御部７１は、端末連携制御部８０が供給する認証情報を取り込み、この認証情報を適用してアプリケーションを実行する
【００６１】
また、アプリケーション実行制御部７１は、管理情報記憶部６８からアプリケーション提示制御情報を読み込み、このアプリケーション提示制御情報に応じた、番組コンテンツデータ、アプリケーション、および配信コンテンツデータの出力方法を音声制御部７２および表示制御部７４に設定する。
【００６２】
また、アプリケーション実行制御部７１は、通信系分離部６６が供給する配信コンテンツデータの映像データ、音声データ、および静止画像データを取り込む。または、アプリケーション実行制御部７１は、記憶部６９から配信コンテンツデータの映像データ、音声データ、および静止画像データを読み込む。そして、アプリケーション実行制御部７１は、音声データを音声制御部７２に供給し、映像データおよび静止画像データを表示制御部７４に供給する。
【００６３】
アプリケーション実行制御部７１は、その機能構成として、アプリケーション要求部７１１と、認証要求取得部７１２と、認証情報取得部７１３とを備える。
【００６４】
アプリケーション要求部７１１は、端末９０が受信機６０に通信接続されているか否かを示す端末状態情報を端末連携制御部８０から取得する。端末９０は、例えば、リモコン装置等の操作機器により、複数の端末９０の中から指定されてもよい。そして、アプリケーション要求部７１１は、管理情報記憶部６８から読み込んだアプリケーション情報テーブルまたは操作信号受信部７０から供給されたコードによる実行指示に基づいて、端末状態情報を含めたアプリケーション要求情報を生成し、このアプリケーション要求情報を通信部６５に供給する。アプリケーション要求情報は、アプリケーションサーバ４２に対してアプリケーションを要求する要求情報（サービス要求情報）である。
【００６５】
認証要求取得部７１２は、アプリケーション要求情報に含まれる端末状態情報が現在通信状態であることを示す場合に、そのアプリケーション要求情報を取得したアプリケーションサーバ４２が供給する認証要求情報を取り込み、この認証要求情報を端末連携制御部８０に供給する。認証要求情報は、アプリケーションサーバ４２から受信機６０に対する認証要求を示す情報である。例えば、認証要求情報は、アプリケーションサーバ４２が生成したリンクキー（第１のリンクキー）と、認証サーバ４１の所在を示す認証サーバ所在情報と、認証結果をコールバックする第１サービスエンドポイント（ＣａｌｌｂａｃｋＵＲＩ＃１）とを含む。なお、連携動作する端末９０にも端末連携アプリケーションを実行させる場合には、端末９０に対するサービスエンドポイント（ＣａｌｌｂａｃｋＵＲＩ＃２）も認証要求情報に含める。つまり、認証要求取得部７１２は、リンクキー取得部を含む。
認証情報取得部７１３は、端末連携制御部８０が供給する認証情報を取り込む。
【００６６】
端末連携制御部８０は、受信機６０に連携して動作する端末９０に関する端末管理情報（図２を参照）を記憶し管理する。
端末連携制御部８０は、アプリケーション実行制御部７１からの要求に応じて、指定された端末９０に対応する端末状態情報を取得し、この端末状態情報をアプリケーション実行制御部７１に供給する。
また、端末連携制御部８０は、認証要求取得部７１２が供給する認証要求情報を取り込み、受信機６０と通信接続されている端末９０に対して認証要求を委譲する。
また、端末連携制御部８０は、端末９０から認証情報を取り込み、この認証情報を認証情報取得部７１３に供給する。
【００６７】
図５は、受信機６０の端末連携制御部８０の機能構成を示すブロック図である。同図に示すように、端末連携制御部８０は、端末情報管理部８１と、認証要求委譲部８２と、認証承継情報取得部８３とを備える。
端末情報管理部８１は、一つまたは複数の端末９０それぞれについての端末情報を含む端末管理情報を記憶し、自装置（受信機６０）と端末９０との通信接続状態に応じて、端末状態情報を更新する。具体的に、端末情報管理部８１は、例えばＵｎｉｖｅｒｓａｌ  Ｐｌｕｇ  ａｎｄ  Ｐｌａｙ（ＵＰｎＰ）プロトコルを適用し、通信部６５に通信接続された端末９０を検索する。そして、端末情報管理部８１は、通信接続された端末９０を検出した場合、その端末９０の端末識別情報を取得し、端末管理情報においてその端末識別情報に対応付けられた端末状態情報を、通信接続状態を示す情報で更新する。
【００６８】
また、端末情報管理部８１は、アプリケーション要求部７１１からの要求に応じて、指定された端末９０に対応する端末状態情報を端末管理情報から抽出し、この端末状態情報をアプリケーション要求部７１１に供給する。なお、端末情報管理部８１は、アプリケーション要求部７１１からの要求に応じて、接続状態にある端末９０が存在するか否かを示す情報を、アプリケーション要求部７１１に供給してもよい。
【００６９】
また、端末情報管理部８１は、認証承継情報取得部８３が供給する認証承継情報を取り込み、該当する端末９０と関連付けてその認証承継情報を管理する。認証承継情報は、端末９０から取得される情報であり、認証結果である認証情報とリンクキー（第２のリンクキー）とを含む情報である。端末情報管理部８１は、端末９０から取得した認証承継情報に含まれるリンクキーおよび認証情報を端末管理情報に書き込む。この端末情報管理部８１は、認証情報取得部７１３から第１のリンクキーとともに認証情報取得要求がある場合に、その第１のリンクキーと同一値である第２のリンクキーに関連付けられた認証情報を認証情報取得部７１３に供給する。
【００７０】
つまり、認証情報は、アプリケーション実行制御部７１において、同一のリンクキーに対応付けられたアプリケーションによってのみ参照されるようにアクセス制御される。
なお、端末情報管理部８１は、受信機６０と端末９０との連携動作が完了したときに、当該連携動作を行っていた端末９０に関するリンクキーおよび認証情報を、端末管理情報から削除する。
【００７１】
認証要求委譲部８２は、認証要求取得部７１２が供給する認証要求情報を取り込み、通信接続された端末９０に対する認証要求委譲情報を通信部６５に供給する。認証要求委譲情報は、受信機６０から端末９０に対して認証要求を委譲するための要求を示す情報である。例えば、認証要求委譲情報は、アプリケーション情報テーブルに関連付けられたアプリケーションを実行するための認証の要求を委譲することを示す情報である。具体的に、認証要求委譲情報は、認証要求情報に含まれている、リンクキーと認証サーバ所在情報とを含む。なお、連携動作する端末９０でも端末連携アプリケーションを実行させる場合には、端末９０に対するサービスエンドポイント（ＣａｌｌｂａｃｋＵＲＩ＃２）も認証要求委譲情報に含める。
【００７２】
また、認証要求委譲部８２は、認証要求委譲応答をアプリケーション実行制御部７１に供給する。この認証要求委譲応答は、例えば、リンクキーと、第１サービスエンドポイント（ＣａｌｌｂａｃｋＵＲＩ＃１）とを含む。
【００７３】
認証承継情報取得部８３は、端末９０が供給する認証承継情報を取り込み、この認証承継情報を端末情報管理部８１に供給する。
【００７４】
次に、端末９０の構成について説明する。
図６は、端末９０の、認証に関する処理を行う処理部の概略の機能構成を示すブロック図である。同図に示すように、端末９０は、通信部９１と、アプリケーション実行制御部９２と、認証要求被委譲部９３と、認証部９４と、認証情報供給部９５とを備える。
【００７５】
通信部９１は、サービスサーバ群４０の各サーバおよび受信機６０の通信部６５と通信接続される通信インタフェースである。
認証要求被委譲部９３は、受信機６０の認証要求委譲部８２が通信部６５を介して供給する認証要求委譲情報を、通信部９１を介して取り込み、その認証要求委譲情報をアプリケーション実行制御部９２に供給する。
【００７６】
アプリケーション実行制御部９２は、端末連携アプリケーションの実行を制御する。また、アプリケーション実行制御部９２は、認証要求被委譲部９３が供給する認証要求委譲情報を取り込み、この認証要求委譲情報からリンクキーと認証サーバ所在情報とを抽出する。そして、アプリケーション実行制御部９２は、リンクキーを記憶し、認証サーバ所在情報が示す認証サーバ４１に対して認証要求を供給する。なお、アプリケーション実行制御部９２は、ユーザ識別情報およびパスワードを用いた認証等の認証方法を指定して認証要求を行ってもよい。
【００７７】
認証部９４は、認証サーバ４１による認証を行い、認証サーバ４１から通信部９１を介して、認証結果である認証情報を取得し、この認証情報を認証情報供給部９５に供給する。
認証情報供給部９５は、認証部９４が供給する認証情報を取り込むとともに、アプリケーション実行制御部９２から記憶されたリンクキーを取り込み、認証情報およびリンクキーを含む認証承継情報を生成する。そして、認証情報供給部９５は、認証承継情報を、通信部９１を介して認証委譲元である受信機６０に供給する。
【００７８】
次に、認証サーバ４１の構成について説明する。
図７は、認証サーバ４１の概略の機能構成を示すブロック図である。同図に示すように、認証サーバ４１は、通信部４１１と、ユーザ管理部４１２と、認証要求取得部４１３と、認証部４１４と、認証情報供給部４１５とを備える。
【００７９】
通信部４１１は、ネットワーク５０を介して端末９０等の認証対象機器と通信するインタフェースである。
ユーザ管理部４１２は、認証に用いるユーザ情報を格納する。ユーザ情報は、例えば、ユーザ識別情報とパスワードとを利用者ごとに対応付けた情報である。
認証要求取得部４１３は、端末９０が供給する認証要求を、通信部４１１を介して取り込み、認証部４１４に対して端末９０を指定した認証を指示する。
【００８０】
認証部４１４は、ユーザ管理部４１２を参照し、通信部４１１を介して端末９０との認証を行う。認証部４１４は、認証要求に認証方法が指定されている場合には、その認証方法にしたがった認証を行う。例えば、ユーザ識別情報およびパスワードを用いた認証を行う場合、認証部４１４は、端末９０からユーザ識別情報およびパスワードを取得する。そして、認証部４１４は、これら取得したユーザ識別情報およびパスワードと、ユーザ管理部４１２に格納されたユーザ識別情報とパスワードとに基づいて認証を行う。認証部４１４は、認証結果である認証情報を発行し、この認証情報を認証情報供給部４１５に供給する。
認証情報供給部４１５は、認証部４１４が供給する認証情報を取り込み、この認証情報を、認証応答として通信部４１１を介して認証要求元である端末９０に供給する。
【００８１】
次に、アプリケーションサーバ４２の構成について説明する。
図８は、アプリケーションサーバ４２の概略の機能構成を示すブロック図である。同図に示すように、アプリケーションサーバ４２は、通信部４２１と、ユーザ管理部４２２と、アプリケーション管理部４２３と、アプリケーション要求取得部４２４と、認証要求部４２５と、認証情報取得部４２６と、ユーザ同定部４２７と、アプリケーション供給部４２８とを備える。
【００８２】
通信部４２１は、ネットワーク５０を介して端末６０、端末９０等のネットワーク機器と通信するインタフェースである。
ユーザ管理部４２２は、アプリケーション（個人向けアプリケーション）に必要な個人リソース情報を記憶し管理する。個人リソース情報は、個人に関連する情報であり、例えば、ユーザ識別情報と各種の個人リソースとを利用者ごとに対応付けた情報である。個人リソースは、例えば、氏名、愛称、年齢、性別等の個人の属性情報、写真、動画、日記、投稿の個人が創作した情報等である。
【００８３】
アプリケーション管理部４２３は、様々なアプリケーションを格納する。
アプリケーション要求取得部４２４は、受信機６０が供給するアプリケーション要求情報を、通信部４２１を介して取り込む。
【００８４】
認証要求部４２５は、アプリケーション要求取得部４２４が取り込んだアプリケーション要求情報に端末状態情報が含まれている場合であって、且つその端末状態情報が現在通信状態であることを示す場合に、リンクキーを生成する。そして、認証要求部４２５は、そのリンクキーと、認証サーバ所在情報と、第１サービスエンドポイント（ＣａｌｌｂａｃｋＵＲＩ＃１）とを含めた認証要求情報を生成し、この認証要求情報を、通信部４２１を介してアプリケーションの要求元である受信機６０に供給する。なお、連携動作する端末９０でも端末連携アプリケーションを実行させる場合には、認証要求部４２５は、端末９０に対するサービスエンドポイント（ＣａｌｌｂａｃｋＵＲＩ＃２）も認証要求情報に含める。
【００８５】
認証情報取得部４２６は、受信機６０または端末９０が供給する認証情報を、通信部４２１を介して取り込む。
ユーザ同定部４２７は、認証情報取得部４２６が取得した認証情報が認証成功を示す場合に、ユーザを識別してユーザ管理部４２２から個人リソース情報を読み込み、この個人リソース情報をアプリケーション供給部４２８に供給する。
アプリケーション供給部４２８は、ユーザ同定部４２７が供給する個人リソース情報を取り込み、アプリケーション管理部４２３からアプリケーションを取得し、このアプリケーションと個人リソース情報とを、通信部４２１を介してアプリケーションの要求元である受信機６０または端末９０に供給する。
【００８６】
次に、本実施形態における放送通信連携システム１の動作について説明する。
図９は、放送通信連携システム１における各装置の、認証に関する処理手順を示すシーケンス図である。同図は、端末９０が認証サーバ４１による認証で得た認証情報を、受信機６０に承継させるとともに、端末９０でもその認証情報を用いて個人向けアプリケーションを実行する場合の、認証に関するシーケンス図である。受信機６０と端末９０とが通信接続された状態で、同図のシーケンス図による処理が開始される。
【００８７】
ステップＳ１において、端末連携制御部８０の端末情報管理部８１は、アプリケーション実行制御部７１のアプリケーション要求部７１１からの要求に応じて、指定された端末９０に対応する端末状態情報を端末管理情報から抽出し、この端末状態情報をアプリケーション要求部７１１に供給する。
【００８８】
次に、ステップＳ２において、アプリケーション要求部７１１は、管理情報記憶部６８から読み込んだアプリケーション情報テーブルまたは操作信号受信部７０から供給されたコードによる実行指示に基づき、端末状態情報を含めたアプリケーション要求情報を生成し、このアプリケーション要求情報を、通信部６５を介してアプリケーションサーバ４２に供給する。
【００８９】
次に、ステップＳ３において、アプリケーションサーバ４２のアプリケーション要求取得部４２４は、受信機６０が供給するアプリケーション要求情報を、通信部４２１を介して取り込む。
次に、認証要求部４２５は、アプリケーション要求取得部４２４が取り込んだアプリケーション要求情報に端末状態情報が含まれている場合であって、且つその端末状態情報が現在通信状態であることを示す場合に、リンクキーを生成する。
次に、認証要求部４２５は、そのリンクキーと、認証サーバ所在情報と、第１サービスエンドポイント（ＣａｌｌｂａｃｋＵＲＩ＃１）と、端末９０に対するサービスエンドポイント（ＣａｌｌｂａｃｋＵＲＩ＃２）とを含めた認証要求情報を生成する。
【００９０】
次に、ステップＳ４において、認証要求部４２５は、その認証要求情報を、通信部４２１を介してアプリケーションの要求元である受信機６０に供給する。
次に、ステップＳ５において、受信機６０の認証要求取得部７１２は、アプリケーションサーバ４２が供給する認証要求情報を、通信部６５を介して取り込み、この認証要求情報を端末連携制御部８０に供給する。
【００９１】
次に、ステップＳ６において、認証要求委譲部８２は、認証要求取得部７１２が供給する認証要求情報を取り込み、通信接続された端末９０に対する認証要求委譲情報を、通信部６５を介して端末９０に供給する。例えば、認証要求委譲部８２は、認証要求情報に含まれている、リンクキーと、認証サーバ所在情報と、端末９０に対するサービスエンドポイント（ＣａｌｌｂａｃｋＵＲＩ＃２）とを含む認証要求委譲情報を生成し、この認証要求委譲情報を、通信部６５を介して端末９０に供給する。
【００９２】
また、ステップＳ７において、認証要求委譲部８２は、認証要求委譲応答をアプリケーション実行制御部７１に供給する。この認証要求委譲応答は、例えば、リンクキーと、第１サービスエンドポイント（ＣａｌｌｂａｃｋＵＲＩ＃１）とを含む。
【００９３】
ステップＳ８において、認証要求の委譲を受けた端末９０の認証要求被委譲部９３は、受信機６０が供給する認証要求委譲情報を、通信部９１を介して取り込み、その認証要求委譲情報をアプリケーション実行制御部９２に供給する。
次に、アプリケーション実行制御部９２は、認証要求被委譲部９３が供給する認証要求委譲情報を取り込み、この認証要求委譲情報からリンクキーと認証サーバ所在情報とを抽出する。
次に、アプリケーション実行制御部９２は、リンクキーを記憶し、認証サーバ所在情報が示す認証サーバ４１に対して認証要求を供給する。
【００９４】
次に、ステップＳ９において、認証部９４は、認証サーバ４１による認証を行う。つまり、認証サーバ４１の認証要求取得部４１３は、端末９０が供給する認証要求を、通信部４１１を介して取り込むと、認証部４１４に対して端末９０を指定した認証を指示する。
次に、認証部４１４は、ユーザ管理部４１２を参照して端末９０との間で認証を行う。
次に、ステップＳ１０において、認証部４１４は、認証結果である認証情報を発行し、この認証情報を認証情報供給部４１５に供給する。
次に、ステップＳ１１において、認証情報供給部４１５は、認証部４１４が供給する認証情報を取り込み、この認証情報を、認証応答として通信部４１１を介して認証要求元である端末９０に供給する。
【００９５】
次に、ステップＳ１２において、端末９０は、認証情報をサービスエンドポイント（ＣａｌｌｂａｃｋＵＲＩ＃２）宛てに設定してサービス要求を行う。
次に、ステップＳ１３において、アプリケーションサーバ４２は、認証情報取得部４２６で認証情報を取得する。
次に、ユーザ同定部４２７は、認証情報取得部４２６が取得した認証情報が認証成功を示す場合に、ユーザを識別してユーザ管理部４２２から個人リソース情報を読み込み、この個人リソース情報をアプリケーション供給部４２８に供給する。
次に、アプリケーション供給部４２８は、ユーザ同定部４２７が供給する個人リソース情報を取り込み、アプリケーション管理部４２３からアプリケーションを取得し、このアプリケーションと個人リソース情報とを、通信部４２１を介して要求元である端末９０に供給する。
これにより、端末９０は、端末連携アプリケーションを実行することができる。
【００９６】
次に、ステップＳ１４において、端末９０の認証情報供給部９５は、認証部９４が供給する認証情報を取り込むとともにアプリケーション実行制御部９２から記憶されたリンクキーを取り込み、認証情報とリンクキーとを含む認証承継情報を生成する。
次に、認証情報供給部９５は、通信部９１を介し、認証承継情報を認証委譲元である受信機６０に供給する。
【００９７】
次に、ステップＳ１５において、受信機６０の認証承継情報取得部８３は、端末９０が供給する認証承継情報を取り込み、この認証承継情報を端末情報管理部８１に供給する。
次に、端末情報管理部８１は、認証承継情報取得部８３が供給する認証承継情報を取り込み、該当する端末９０と第２のリンクキーとを関連付けてその認証承継情報を管理する。そして、端末情報管理部８１は、認証情報取得部７１３から第１のリンクキーとともに認証情報取得要求がある場合に、その第１のリンクキーと同一値である第２のリンクキーに関連付けられた認証承継情報を認証情報取得部７１３に供給する。
【００９８】
次に、ステップＳ１６において、認証承継情報取得部８３は、認証承継応答を、通信部６５を介して端末９０に供給する。
【００９９】
ステップＳ１７において、アプリケーション実行制御部７１は、端末連携制御部８０に対し、例えば定期的に認証情報を問い合わせている。なお、図９では、定期的な問合せ処理のうちの１ステップのみを示している。
ステップＳ１８において、端末情報管理部８１は、認証情報を認証情報取得部７１３に供給する。
【０１００】
次に、ステップＳ１９において、アプリケーション要求部７１１は、認証情報取得部７１３から認証情報を取得し、この認証情報をサービスエンドポイント（ＣａｌｌｂａｃｋＵＲＩ＃１）宛てに設定してサービス要求を行う。
次に、ステップＳ２０において、アプリケーションサーバ４２は、認証情報取得部４２６で認証情報を取得する。
次に、ユーザ同定部４２７は、認証情報取得部４２６が取得した認証情報が認証成功を示す場合に、ユーザを識別してユーザ管理部４２２から個人リソース情報を読み込み、この個人リソース情報をアプリケーション供給部４２８に供給する。
次に、アプリケーション供給部４２８は、ユーザ同定部４２７が供給する個人リソース情報を取り込み、アプリケーション管理部４２３からアプリケーションを取得し、このアプリケーションと個人リソース情報とを、通信部４２１を介して要求元である受信機６０に供給する。
これにより、受信機６０は、アプリケーションを実行することができる。
【０１０１】
以上説明したように、本発明の一実施形態における放送通信連携システム１では、ユーザ認証を必要とする個人向けアプリケーションを受信機６０で動作させる場合に、認証操作が簡便で且つセキュリティ上の安全性が高い端末９０に認証を実施させる。これにより、放送通信連携システム１によれば、放送通信連携サービスにおいて、安全且つ簡便に個人の認証を行うことができる。
【０１０２】
また、放送通信連携システム１では、受信機６０および端末９０で連携した放送通信連携サービスを実現することができる。また、一時的に発行されたリンクキーを用いて認証情報を承継することで、連携したアプリケーション間で認証情報を安全に承継することができる。
【実施例】
【０１０３】
次に、上述した実施形態を適用した、本発明の一実施例について説明する。
本実施例におけるアプリケーションサーバは、外部のリソース管理サーバが管理する個人リソース情報を取得し適用して、アプリケーションを受信機に供給する。そこで、本実施例では、認証認可サーバが、ユーザの認証処理に加えて、個人リソース情報へのアクセスの認可処理を行う。
【０１０４】
なお、本実施例において、認証処理および認可処理を併せて認可処理と呼ぶことがある。
【０１０５】
図１０は、本発明の一実施例である受信機および受信システムを適用した放送通信連携システムの概略の全体構成図である。なお、本実施例において、上述した実施形態における構成と同一のものには同一の符号を付し、その説明を省略する。同図に示すように、放送通信連携システム１ａは、放送通信連携システム１に対して、認証サーバ４１およびアプリケーションサーバ４２が認証認可サーバ（認証認可装置、認可装置）４４およびアプリケーションサーバ（アプリケーション提供装置）４５に変更され、リソース管理サーバ（リソース管理装置）４６が新たに追加されている。また、放送通信連携システム１ａは、放送通信連携システム１に対し、受信機６０および端末９０が受信機６０ａおよび端末９０ａに変更されている。
【０１０６】
受信機６０ａおよび端末９０ａは、前述した実施形態に対し、認証処理に加えて認可処理も実行する。受信機６０ａおよび端末９０ａそれぞれの構成は、認可処理を実行することを除き受信機６０および端末９０それぞれの構成と同様である。よって、本実施例では、受信機６０ａおよび端末９０ａのブロック図を省略する。
【０１０７】
図１１は、受信機６０ａが管理する端末管理情報のデータ構成を示す図である。同図に示すように、この端末管理情報は、受信機６０が管理する端末管理情報に対して、認可情報をさらに対応付けたものである。認可情報は、認証認可サーバ４４が発行する、個人リソース情報の利用許諾を示す情報（利用許諾情報）である。認可情報は、端末識別情報が示す端末９０の利用者個人に関する個人リソース情報についての利用許諾情報である。
【０１０８】
図１２は、認証認可サーバ４４の機能構成を示すブロック図である。同図に示すように、認証認可サーバ４４は、通信部４４１と、ユーザ管理部４４２と、リソースアクセス権限管理部４４３と、アプリケーション管理部４４４と、認可要求取得部４４５と、認証認可部４４６と、認可情報供給部４４７と、アプリケーション正当性判定部４４８とを備える。
【０１０９】
通信部４４１は、ネットワーク５０を介して端末９０ａ、アプリケーションサーバ４５等のネットワーク機器と通信するインタフェースである。
ユーザ管理部４４２は、認証に用いるユーザ情報を記憶し管理する。ユーザ情報は、例えば、ユーザ識別情報とパスワードとを利用者ごとに対応付けた情報である。
リソースアクセス権限管理部４４３は、個人リソース情報に対するアクセス権限を記憶し管理する。
アプリケーション管理部４４４は、個人リソース情報を用いるアプリケーションの正当性を検証するための検証情報を記憶し管理する。
【０１１０】
認可要求取得部４４５は、端末９０ａが供給する認証・認可要求（以下、認可要求という）を、通信部４４１を介して取り込み、端末９０ａを指定した認証および認可の指示を、認証認可部４４６に対して行う。
認証認可部４４６は、ユーザ管理部４４２およびリソースアクセス権限管理部４４３を参照し、通信部４４１を介して端末９０ａとの認証および個人リソース情報に対するアクセス権限付与の認可を行う。認証認可部４４６は、認証結果および認可結果である認証認可情報（以下、第１の認可情報という）を発行し、この第１の認可情報を認可情報供給部４４７に供給する。なお、第１の認可情報は、ユーザ識別情報とアクセス権限とを含めた認可結果であってもよいし、前記の認可結果と対応付けた乱数に基づき生成されるコードであってもよい。
【０１１１】
認可情報供給部４４７は、認証認可部４４６が供給する第１の認可情報を取り込み、この第１の認可情報を、通信部４４１を介して認証要求元である端末９０ａに第１の認可応答として供給する。
アプリケーション正当性判定部４４８は、アプリケーションサーバ４５が供給するアプリケーション正当性判定要求を、通信部４４１を介して取り込む。そして、このアプリケーション正当性判定要求に応じて、アプリケーション管理部４４４を参照し、個人リソース情報にアクセスするアプリケーションの正当性を検証して第２の認可情報を発行する。そして、アプリケーション正当性判定部４４８は、その第２の認可情報を、通信部４４１を介して認証要求元であるアプリケーションサーバ４５に第２の認可応答として供給する。
【０１１２】
図１３は、アプリケーションサーバ４５の概略の機能構成を示すブロック図である。同図に示すように、アプリケーションサーバ４５は、通信部４５１と、アプリケーション管理部４５２と、アプリケーション要求取得部４５３と、認可要求部４５４と、認可情報取得部４５５と、リソース要求部４５６と、アプリケーション正当性判定要求部４５７と、アプリケーション供給部４５８とを備える。
【０１１３】
通信部４５１は、ネットワーク５０を介して受信機６０ａ、端末９０ａ、認証認可サーバ４４、リソース管理サーバ４６等のネットワーク機器と通信するインタフェースである。
アプリケーション管理部４５２は、様々なアプリケーションを格納する。
アプリケーション要求取得部４５３は、受信機６０ａが供給するアプリケーション要求情報を、通信部４５１を介して取り込む。このアプリケーション要求情報は、受信機６０aと連携している端末状態情報を含む。
【０１１４】
認可要求部４５４は、アプリケーション要求取得部４５３が取り込んだアプリケーション要求情報に端末状態情報が含まれている場合であって、且つその端末状態情報が現在通信状態であることを示す場合に、リンクキーを生成する。そして、認可要求部４５４は、そのリンクキーと、認証認可サーバ所在情報と、第１サービスエンドポイント（ＣａｌｌｂａｃｋＵＲＩ＃１）と、具体的に要求するアクセス権限情報とを含めた認可要求情報を生成する。そして、認可要求部４５４は、その認可要求情報を、通信部４５１を介してアプリケーションの要求元である受信機６０ａに供給する。なお、連携動作する端末９０ａでも端末連携アプリケーションを実行させる場合には、認可要求部４５４は、端末９０ａに対するサービスエンドポイント（ＣａｌｌｂａｃｋＵＲＩ＃２）も認可要求情報に含める。
【０１１５】
アプリケーション正当性判定要求部４５７は、端末９０ａが供給するサービス要求を取り込み、このサービス要求に含まれる第１の認可情報とアプリケーションの信頼情報とを含めたアプリケーション正当性判定要求を、通信部４５１を介して認証認可サーバ４４に供給する。
【０１１６】
認可情報取得部４５５は、認証認可サーバ４４が供給する第２の認可応答を、通信部４５１を介して取り込み、その第２の認可応答をリソース要求部４５６に供給する。
リソース要求部４５６は、認可情報取得部４５５が供給する第２の認可応答を取り込み、この第２の認可応答である第２の認可情報を含めたリソース要求情報を生成し、このリソース要求情報を、通信部４５１を介してリソース管理サーバ４６に供給する。
【０１１７】
アプリケーション供給部４５８は、アプリケーション管理部４５２からアプリケーションを取得し、このアプリケーションを、通信部４５１を介してアプリケーションの要求元である受信機６０ａまたは端末９０ａに供給する。
【０１１８】
図１４は、リソース管理サーバ４６の概略の機能構成を示すブロック図である。同図に示すように、リソース管理サーバ４６は、通信部４６１と、リソース管理部４６２と、リソース要求取得部４６３と、認可情報判定要求部４６４と、リソース利用可否判定部４６５と、リソース応答部４６６とを備える。
【０１１９】
通信部４６１は、ネットワーク５０を介してアプリケーションサーバ４５等のネットワーク機器と通信するインタフェースである。
リソース管理部４６２は、アプリケーション（個人向けアプリケーション）に必要な個人リソース情報を記憶し管理する。
リソース要求取得部４６３は、アプリケーションサーバ４５のリソース要求部４５６が供給するリソース要求情報を、通信部４６１を介して取り込み、このリソース要求情報をリソース管理部４６２に供給する。
【０１２０】
認可情報判定要求部４６４は、リソース要求取得部４６３から第２の認可情報を取り込み、この第２の認可情報を用いて認証認可サーバ４４に問い合わせ、第２の認可情報に対応付けられたユーザ識別情報およびアクセス権限を、通信部４６１を介して取得する。
リソース利用可否判定部４６５は、認可情報判定要求部４６４が取得したアクセス権限とリソース種別とを照合して、リソース利用の可否を判定する。
【０１２１】
リソース応答部４６６は、リソース利用可否判定部４６５の判定結果がリソース利用可能である場合、該当するユーザの該当する個人リソース情報を、リソース管理部４６２から抽出し、その個人リソース情報を、通信部４６１を介してアプリケーションサーバ４５に供給する。
【０１２２】
次に、本実施例における放送通信連携システム１ａの動作について説明する。
図１５は、放送通信連携システム１ａにおける各装置の、認証および認可に関する処理手順を示すシーケンス図である。同図は、端末９０ａが認証認可サーバ４４による認証および認可で得た認可情報を、受信機６０ａに承継させるとともに、端末９０ａでもその認可情報を用いて個人向けアプリケーションを実行する場合の、認証および認可に関するシーケンス図である。受信機６０ａと端末９０ａとが通信接続された状態で、同図のシーケンス図による処理が開始される。
【０１２３】
ステップＳ３１において、端末連携制御部８０の端末情報管理部８１は、アプリケーション実行制御部７１のアプリケーション要求部７１１からの要求に応じて、指定された端末９０ａに対応する端末状態情報を端末管理情報から抽出し、この端末状態情報をアプリケーション要求部７１１に供給する。
次に、アプリケーション要求部７１１は、管理情報記憶部６８から読み込んだアプリケーション情報テーブルまたは操作信号受信部７０から供給されたコードによる実行指示に基づき、端末状態情報を含めたアプリケーション要求情報を生成し、このアプリケーション要求情報を、通信部６５を介してアプリケーションサーバ４５に供給する。
【０１２４】
次に、ステップＳ３２において、アプリケーションサーバ４５のアプリケーション要求取得部４５３は、受信機６０ａが供給するアプリケーション要求情報を、通信部４５１を介して取り込む。
次に、認可要求部４５４は、アプリケーション要求取得部４５３が取り込んだアプリケーション要求情報に端末状態情報が含まれている場合であって、且つその端末状態情報が現在通信状態であることを示す場合に、リンクキーを生成する。
次に、認可要求部４５４は、そのリンクキーと、認証認可サーバ所在情報と、第１サービスエンドポイント（ＣａｌｌｂａｃｋＵＲＩ＃１）と、具体的に要求するアクセス権限情報と、端末９０ａに対するサービスエンドポイント（ＣａｌｌｂａｃｋＵＲＩ＃２）とを含めた認可要求情報を生成する。
【０１２５】
次に、ステップＳ３３において、認可要求部４５４は、その認可要求情報を、通信部４５１を介してアプリケーションの要求元である受信機６０ａに供給する。
次に、受信機６０ａの認証要求取得部７１２は、アプリケーションサーバ４５が供給する認可要求情報を、通信部６５を介して取り込み、この認可要求情報を端末連携制御部８０に供給する。
【０１２６】
次に、ステップＳ３４において、認証要求委譲部８２は、認証要求取得部７１２が供給する認証要求情報を取り込み、通信接続された端末９０ａに対する認可要求委譲情報を、通信部６５を介して端末９０ａに供給する。例えば、認証要求委譲部８２は、認証要求情報に含まれている、リンクキーと、認証認可サーバ所在情報と、具体的に要求するアクセス権限情報と、端末９０ａに対するサービスエンドポイント（ＣａｌｌｂａｃｋＵＲＩ＃２）とを含む認可要求委譲情報を生成し、この認可要求委譲情報を、通信部６５を介して端末９０ａに供給する。
【０１２７】
また、認証要求委譲部８２は、認可要求委譲応答をアプリケーション実行制御部７１に供給する。この認可要求委譲応答は、例えば、リンクキーと、第１サービスエンドポイント（ＣａｌｌｂａｃｋＵＲＩ＃１）とを含む。
【０１２８】
ステップＳ３５において、認可要求の委譲を受けた端末９０ａの認証要求被委譲部９３は、受信機６０ａが供給する認可要求委譲情報を、通信部９１を介して取り込み、その認可要求委譲情報をアプリケーション実行制御部９２に供給する。
次に、アプリケーション実行制御部９２は、認証要求被委譲部９３が供給する認可要求委譲情報を取り込み、この認可要求委譲情報からリンクキーと認証認可サーバ所在情報とを抽出する。
次に、アプリケーション実行制御部９２は、リンクキーを記憶し、認証認可サーバ所在情報が示す認証認可サーバ４４に対して認可要求を供給する。
【０１２９】
次に、ステップＳ３６において、認証部９４は、認証認可サーバ４４による認証・認可を行う。つまり、認証認可サーバ４４の認可要求取得部４４５は、端末９０ａが供給する認可要求を、通信部４４１を介して取り込むと、認証認可部４４６に対して端末９０ａを指定した認証・認可を指示する。
次に、認証認可部４４６は、ユーザ管理部４４２を参照して端末９０ａとの間で認証を行う。
【０１３０】
次に、ステップＳ３７において、認証認可部４４６は、認証結果である第１の認可情報を発行し、この第１の認可情報を認可情報供給部４４７に供給する。
次に、ステップＳ３８において、認可情報供給部４４７は、認証認可部４４６が供給する第１の認可情報を取り込み、この第１の認可情報を、認可応答として通信部４４１を介して認証要求元である端末９０ａに供給する。
【０１３１】
次に、ステップＳ３９において、端末９０ａは、第１の認証情報をサービスエンドポイント（ＣａｌｌｂａｃｋＵＲＩ＃２）宛てに設定してサービス要求を行う。
次に、ステップＳ４０において、アプリケーション正当性判定要求部４５７は、端末９０ａが供給するサービス要求を取り込み、このサービス要求に含まれる第１の認可情報とアプリケーションの信頼情報とを含めたアプリケーション正当性判定要求を、通信部４５１を介して認証認可サーバ４４に供給する。なお、アプリケーション正当性判定要求には、アプリケーションのクレデンシャルを含める。
【０１３２】
次に、ステップＳ４１において、認証認可サーバ４４のアプリケーション正当性判定部４４８は、アプリケーションサーバ４５が供給するアプリケーション正当性判定要求を、通信部４４１を介して取り込む。
次に、アプリケーション正当性判定部４４８は、アプリケーション正当性判定要求に応じて、アプリケーション管理部４４４を参照し、個人リソース情報にアクセスするアプリケーションの正当性を検証して第２の認可情報を発行する。
次に、アプリケーション正当性判定部４４８は、第２の認可情報を、通信部４４１を介して認証要求元であるアプリケーションサーバ４５に第２の認可応答として供給する。
【０１３３】
次に、ステップＳ４２において、アプリケーションサーバ４５の認可情報取得部４５５は、認証認可サーバ４４が供給する第２の認可応答を、通信部４５１を介して取り込み、その第２の認可応答をリソース要求部４５６に供給する。
次に、リソース要求部４５６は、認可情報取得部４５５が供給する第２の認可応答を取り込み、この第２の認可応答である第２の認可情報を含めたリソース要求情報を生成し、このリソース要求情報を、通信部４５１を介してリソース管理サーバ４６に供給する。
【０１３４】
次に、ステップＳ４３において、リソース管理サーバ４６のリソース要求取得部４６３は、アプリケーションサーバ４５のリソース要求部４５６が供給するリソース要求情報を、通信部４６１を介して取り込み、このリソース要求情報をリソース管理部４６２に供給する。
次に、認可情報判定要求部４６４は、リソース要求取得部４６３から第２の認可情報を取り込み、この第２の認可情報を用いて認証認可サーバ４４に問い合わせ、第２の認可情報に対応付けられたユーザ識別情報およびアクセス権限を、通信部４６１を介して取得する。
次に、リソース利用可否判定部４６５は、認可情報判定要求部４６４が取得したアクセス権限とリソース種別とを照合して、リソース利用の可否を判定する。
【０１３５】
次に、ステップＳ４４において、リソース応答部４６６は、リソース利用可否判定部４６５の判定結果がリソース利用可能である場合、該当するユーザの該当する個人リソース情報を、リソース管理部４６２から抽出し、その個人リソース情報を、通信部４６１を介してアプリケーションサーバ４５に供給する。
次に、ステップＳ４５において、アプリケーションサーバ４５のリソース要求部４５６は、通信部４５１を介して、個人リソース情報を取り込む。
次に、アプリケーション供給部４５８は、アプリケーション管理部４５２からアプリケーションを取得し、このアプリケーションと個人リソース情報とを、通信部４５１を介して要求元である端末９０ａに供給する。
これにより、端末９０ａは、端末連携アプリケーションを実行することができる。
【０１３６】
次に、ステップＳ４６において、端末９０ａの認証情報供給部９５は、認証部９４が供給する認可情報を取り込むとともにアプリケーション実行制御部９２から記憶されたリンクキーを取り込み、認証情報とリンクキーとを含む認可承継情報を生成する。
次に、認証情報供給部９５は、通信部９１を介し、認可承継情報を認証委譲元である受信機６０ａに供給する。
【０１３７】
次に、ステップＳ４７において、受信機６０ａの認証承継情報取得部８３は、端末９０ａが供給する認可承継情報を取り込み、この認可承継情報を端末情報管理部８１に供給する。
次に、端末情報管理部８１は、認証承継情報取得部８３が供給する認可承継情報を取り込み、該当する端末９０と第２のリンクキーとを関連付けてその認可承継情報を管理する。そして、端末情報管理部８１は、認可情報取得部７１３から第１のリンクキーとともに認可情報取得要求がある場合に、その第１のリンクキーと同一値である第２のリンクキーに関連付けられた認可承継情報を認証情報取得部７１３に供給する。
【０１３８】
次に、ステップＳ４８において、認証承継情報取得部８３は、認可承継応答を、通信部６５を介して端末９０ａに供給する。
【０１３９】
以上説明したように、本発明の一実施例における放送通信連携システム１ａでは、受信機６０ａは、アプリケーションサーバとは別のサーバであるリソース管理サーバに格納された個人リソース情報を取得して利用する個人向けアプリケーションを実行する。この場合においても、端末６０ａと連携動作する端末９０ａが認証および認可を行い、その結果である認可情報を受信機６０ａに利用させる。これにより、放送通信連携システム１ａによれば、放送通信連携サービスにおいて、安全且つ簡便に個人向けサービスの認証を行うことができる。
【０１４０】
以上、本発明の実施の形態について図面を参照して詳述したが、具体的な構成はその実施形態に限られるものではなく、本発明の要旨を逸脱しない範囲の設計等も含まれる。
【符号の説明】
【０１４１】
１，１ａ  放送通信連携システム
１０  放送設備
２０  送信アンテナ
３０  ネットワーク
４０  サービスサーバ群
４１  認証サーバ（認証装置）
４２  アプリケーションサーバ（アプリケーション提供装置）
４３  コンテンツサーバ（コンテンツ提供装置）
４４  認証認可サーバ（認証認可装置）
４５  アプリケーションサーバ（アプリケーション提供サーバ）
４６  リソース管理サーバ（リソース管理装置）
５０  ネットワーク
６０，６０ａ  受信機
６１  放送信号受信部
６２  放送系分離部
６３  放送系管理情報取得部
６５  通信部
６６  通信系分離部
６７  通信系管理情報取得部
６８  管理情報記憶部
６９  記憶部
７０  操作信号受信部
７１  アプリケーション実行制御部
７２  音声制御部
７３  音声出力部
７４  表示制御部
７５  表示部
８０  端末連携制御部
８１  端末情報管理部
８２  認証要求委譲部
８３  認証承継情報取得部
９０，９０ａ  端末
９１  通信部
９２  アプリケーション実行制御部
９３  認証要求被委譲部
９４  認証部
９５  認証情報供給部
１１１  番組編成装置
１１２  番組送出装置
１１３  送信装置
４１１  通信部
４１２  ユーザ管理部
４１３  認証要求取得部
４１４  認証部
４１５  認証情報供給部
４２１  通信部
４２２  ユーザ管理部
４２３  アプリケーション管理部
４２４  アプリケーション要求取得部
４２５  認証要求部
４２６  認証情報取得部
４２７  ユーザ同定部
４２８  アプリケーション供給部
４４１  通信部
４４２  ユーザ管理部
４４３  リソースアクセス権限管理部
４４４  アプリケーション管理部
４４５  認可要求取得部
４４６  認証認可部
４４７  認可情報供給部
４４８  アプリケーション正当性判定部
４５１  通信部
４５２  アプリケーション管理部
４５３  アプリケーション要求取得部
４５４  認可要求部
４５５  認可情報取得部
４５６  リソース要求部
４５７  アプリケーション正当性判定要求部
４５８  アプリケーション供給部
４６１  通信部
４６２  リソース管理部
４６３  リソース要求取得部
４６４  認可情報判定要求部
４６５  リソース利用可否判定部
４６６  リソース応答部
７１１  アプリケーション要求部
７１２  認証要求取得部
７１３  認証情報取得部
【図１】
2013242704.tif 000003
【図２】
2013242704.tif 000004
【図３】
2013242704.tif 000005
【図４】
2013242704.tif 000006
【図５】
2013242704.tif 000007
【図６】
2013242704.tif 000008
【図７】
2013242704.tif 000009
【図８】
2013242704.tif 000010
【図９】
2013242704.tif 000011
【図１０】
2013242704.tif 000012
【図１１】
2013242704.tif 000013
【図１２】
2013242704.tif 000014
【図１３】
2013242704.tif 000015
【図１４】
2013242704.tif 000016
【図１５】
2013242704.tif 000017